(57)【要約】【課題】取り外された操作盤を保持させる際における作業性を向上し、かつ安定的に保持し得るエレベータ装置を提供する。【解決手段】エレベータ装置１は、各階の乗場２壁面３または籠４内壁面５において開口するように設けられた配線収容部１４の開口１３を塞ぐように取り付けられる操作盤２０と、前記配線収容部内において前記開口の幅方向一方側縁部に沿うように、かつ該開口の幅方向に厚さ方向を沿わせて固定的に配される板状の保持片１８と、前記操作盤の裏面側から突出するように固定的に設けられ、当該操作盤が前記開口から取り外された状態で、前記保持片の厚さ方向に厚さ方向を沿わせて配されて該保持片に引っ掛け保持される板状の被保持片２８と、を備えている。【選択図】図１
2020196557.tif 000002
【特許請求の範囲】
【請求項１】
各階の乗場壁面または籠内壁面において開口するように設けられた配線収容部の開口を塞ぐように取り付けられる操作盤と、前記配線収容部内において前記開口の幅方向一方側縁部に沿うように、かつ該開口の幅方向に厚さ方向を沿わせて固定的に配される板状の保持片と、前記操作盤の裏面側から突出するように固定的に設けられ、当該操作盤が前記開口から取り外された状態で、前記保持片の厚さ方向に厚さ方向を沿わせて配されて該保持片に引っ掛け保持される板状の被保持片と、を備えていることを特徴とするエレベータ装置。
【請求項２】
請求項１において、
前記保持片及び前記被保持片のうちの一方片には、鍔状の大径部を先端側に有した突起部が厚さ方向に突出して設けられ、他方片には、当該他方片が前記一方片と前記突起部の大径部との間に挟み込まれた状態で前記突起部の小径部を受け入れる係合部が設けられていることを特徴とするエレベータ装置。
【請求項３】
請求項２において、
前記係合部は、前記突起部の大径部を受け入れ可能な大径孔部と前記突起部の小径部を受け入れる小径孔部とが連なるように、かつ前記他方片を貫通して設けられたダルマ孔状とされていることを特徴とするエレベータ装置。
【請求項４】
請求項２または３において、
前記保持片及び前記被保持片のそれぞれには、前記配線収容部の奥行方向及び上下方向でずれた位置となるように２つの前記突起部及び前記係合部が設けられていることを特徴とするエレベータ装置。
【発明の詳細な説明】
【技術分野】
【０００１】
本発明は、エレベータ装置に関する。
【背景技術】
【０００２】
従来より、建物内に設置され、昇降されて各階の乗場において停止される籠を備えたエレベータ装置が知られている。このようなエレベータ装置の各階の乗場壁面や籠内壁面には、籠呼び操作部や扉開閉操作部、行先階操作部等を有した操作盤が設けられている。また、この操作盤は、この操作盤と接続される回路基板や配線等を収容する配線収容部の開口を覆うように取り付けられ、メンテナンス等の際には、取り外される構成とされている。
例えば、下記特許文献１には、ホール壁に埋設されたボックスに対して着脱自在に取り付けられる操作パネルを備えたエレベータ操作盤が開示されている。このエレベータ操作盤は、ボックスの内面に、ボックス内に収容された第１の位置とボックスの外部に突出する第２の位置との間で変位可能とされた突起部を設け、操作パネルの側壁に、この突起部に引っ掛けられる長穴を設けた構成とされている。
【先行技術文献】
【特許文献】
【０００３】
【特許文献１】特許第４６６２３８０号公報
【発明の概要】
【発明が解決しようとする課題】
【０００４】
しかしながら、上記特許文献１に記載されたエレベータ操作盤では、突起部を第２の位置に変位させる必要があり、また、突起部が変位可能とされているので、保持された操作パネルに外力が負荷されれば、がたついたり、移動し易くなることが考えられる。
【０００５】
本発明は、上記実情に鑑みてなされたものであり、取り外された操作盤を保持させる際における作業性を向上し、かつ安定的に保持し得るエレベータ装置を提供することを目的としている。
【課題を解決するための手段】
【０００６】
上記目的を達成するために、本発明に係るエレベータ装置は、各階の乗場壁面または籠内壁面において開口するように設けられた配線収容部の開口を塞ぐように取り付けられる操作盤と、前記配線収容部内において前記開口の幅方向一方側縁部に沿うように、かつ該開口の幅方向に厚さ方向を沿わせて固定的に配される板状の保持片と、前記操作盤の裏面側から突出するように固定的に設けられ、当該操作盤が前記開口から取り外された状態で、前記保持片の厚さ方向に厚さ方向を沿わせて配されて該保持片に引っ掛け保持される板状の被保持片と、を備えていることを特徴とする。
【発明の効果】
【０００７】
本発明に係るエレベータ装置は、上述のような構成としたことで、取り外された操作盤を保持させる際における作業性を向上させることができ、また、安定的に保持することができる。
【図面の簡単な説明】
【０００８】
【図１】（ａ）、（ｂ）は、本発明の一実施形態に係るエレベータ装置の一例を模式的に示し、図４におけるＺ部に対応させた一部破断概略正面図である。
【図２】（ａ）は、図１（ａ）におけるＸ１−Ｘ１線矢視に対応させた一部破断概略横断面図、（ｂ）は、図１（ｂ）におけるＸ２−Ｘ２線矢視に対応させた一部破断概略横断面図である。
【図３】（ａ）、（ｂ）は、図１（ｂ）におけるＹ−Ｙ線矢視に対応させた一部破断概略縦断面図である。
【図４】同エレベータ装置の一部破断概略正面図である。
【発明を実施するための形態】
【０００９】
以下に本発明の実施の形態について、図面に基づいて説明する。
なお、一部の図では、他図に付している詳細な符号の一部を省略している。
また、図２（ａ）、（ｂ）では、開口を視認し易いように開口上側部位の後記する前板部の図示を省略している。
また、以下の実施形態では、本実施形態に係るエレベータ装置を設置した状態を基準として上下方向等の方向を説明する。
【００１０】
本実施形態に係るエレベータ装置１は、図１及び図４に示すように、各階の乗場２壁面３または籠４内壁面５において開口するように設けられた配線収容部１４の開口１３を塞ぐように取り付けられる操作盤２０を備えている。また、エレベータ装置１は、建物の各階の乗場２において停止される籠４と、各階の乗場２において開閉される乗場戸６と、この乗場戸６によって開閉される出入口を区画する乗場枠１０，１１，１２と、を備えている。籠４には、図示は省略しているが、籠４の出入口を開閉する籠戸が設けられている。
【００１１】
なお、本実施形態では、乗場２壁面３側の操作盤２０について説明するが、籠４の内壁面５の操作盤及びこれによって開口が覆われる配線収容部についても同様の構成としてもよい。籠４の内壁面５としては、籠４の両側内側面のうちの一方でもよく、籠４の奥行方向奥側に向く出入口側方の内側面であってもよい。
また、エレベータ装置１には、図示は省略しているが、建物に設けられた昇降路に沿って籠４を昇降させる昇降駆動機構を構成するガイドレールや釣り合い錘、駆動装置等が設けられている。このエレベータ装置１の駆動方式としては、ロープ式や油圧式等、その他、種々の公知の駆動方式の採用が可能である。
乗場枠は、上枠１０と、両側の縦枠を構成する第１縦枠１１及び第２縦枠１２と、を備えている。これら上枠１０、第１縦枠１１及び第２縦枠１２は、それぞれの表面が乗場２の壁面３に対して同一平面状に設けられたものでもよく、乗場２の壁面３から突出または壁面３に対して凹むように設けられたものでもよい。
【００１２】
本実施形態では、乗場枠の両側の縦枠のうちの一方の縦枠としての第２縦枠１２の表面１２ａにおいて開口するように配線収容部１４を設けた構成としている。乗場２の壁面３において開口するように設けられた配線収容部１４としては、建物の壁体自体の壁面３において開口するものに限られず、壁面３に平行状に設けられた乗場枠の表面１２ａにおいて開口するものも含む。なお、このような態様に代えて、乗場枠側方の壁体自体の壁面３において配線収容部１４を開口させた構成としてもよい。
第２縦枠１２は、図２に示すように、乗場戸６（図４参照）に対面した状態における前後方向（籠４奥行方向）に厚さ方向を沿わせた前板部と、この前板部の出入口側端部から後方側に向けて延出する側板部と、を備えている。
【００１３】
配線収容部１４の開口１３は、この第２縦枠１２の前板部を厚さ方向に貫通するように設けられている。この開口１３は、図１（ｂ）に示すように、正面視して略方形孔状とされている。図例では、この開口１３を、上下方向に長尺状とした例を示している。この開口１３は、この開口１３を覆うように取り付けられる操作盤２０が操作し易い高さ位置となるように適宜の位置に設けられる。なお、この開口１３の幅方向とは、この開口１３に対面した状態における左右方向である。
配線収容部１４内には、操作盤２０に接続される回路基板１５が設けられている。図例では、配線収容部１４内の下側寄りに回路基板１５を設けた例を示している。
【００１４】
また、エレベータ装置１は、図２に示すように、この配線収容部１４内において開口１３の幅方向一方側縁部に沿うように、かつ開口１３の幅方向に厚さ方向を沿わせて固定的に配される板状の保持片１８を備えている。また、エレベータ装置１は、操作盤２０の裏面側から突出するように固定的に設けられ、当該操作盤２０が開口１３から取り外された状態で、保持片１８の厚さ方向に厚さ方向を沿わせて配されて保持片１８に引っ掛け保持される板状の被保持片２８を備えている。このような構成とすれば、配線収容部１４内に設けられた保持片１８に対して操作盤２０の被保持片２８を引っ掛けることで、取り外された操作盤２０を開口１３の側方において保持させることができる。これにより、露出された開口１３を介して配線収容部１４内の回路基板１５等のメンテナンス等を行うことができる。また、保持片１８及び被保持片２８が配線収容部１４及び操作盤２０のそれぞれに固定的に設けられているので、保持片１８や被保持片２８を変位させる必要がなく、操作盤２０を保持させる際における作業性を向上させることができる。また、保持片１８に厚さ方向に重ね合わせられて被保持片２８が保持されるので、これらの厚さ方向に外力が負荷された場合にもがたつき難く、操作盤２０を安定的に保持させることができる。
【００１５】
また、本実施形態では、図２及び図３に示すように、保持片１８及び被保持片２８のうちの一方片に、鍔状の大径部２９ａを先端側に有した突起部２９を厚さ方向に突出させて設けた構成としている。また、他方片に、当該他方片が一方片と突起部２９の大径部２９ａとの間に挟み込まれた状態で突起部２９の小径部２９ｂを受け入れる係合部１９を設けた構成としている。このような構成とすれば、他方片の係合部１９に小径部２９ｂを受け入れた状態で、他方片が一方片と突起部２９の大径部２９ａとの間に挟み込まれる。これにより、保持片１８と被保持片２８との厚さ方向に沿う移動や配線収容部１４奥行方向に沿う移動をより効果的に抑制することができる。この結果、操作盤２０をより安定的に保持させることができる。
【００１６】
また、本実施形態では、保持片１８及び被保持片２８のそれぞれに、配線収容部１４の奥行方向及び上下方向でずれた位置となるように２つの突起部２９，２９及び係合部１９，１９を設けた構成としている。このような構成とすれば、操作盤２０をより安定的に保持させることができる。また、２つの突起部２９，２９及び係合部１９，１９を、上下に並べて設けたものと比べて、保持片１８及び被保持片２８の上下方向に沿う寸法を小さくすることができる。また、２つの突起部２９，２９及び係合部１９，１９を、配線収容部１４の奥行方向に並べて設けたものと比べて、保持片１８及び被保持片２８の奥行方向に沿う寸法を小さくすることができる。
本実施形態では、被保持片２８を一方片とし、保持片１８を他方片としている。つまり、被保持片２８に突起部２９を設け、保持片１８に係合部１９を設けた構成としている。
【００１７】
保持片１８は、開口１３の開口方向に見て（正面視して）開口１３中心側に露出しないように設けられている（図２参照）。図例では、この保持片１８の厚さ方向一方面を、開口１３の幅方向一方側の内側面と略同一平面状とした例を示している。また、図例では、この保持片１８を、開口１３の幅方向で反出入口側に設けた例を示している。
また、この保持片１８は、配線収容部１４の前方側を区画する第２縦枠１２の前板部の裏面１２ｂから配線収容部１４の奥側に向けて突出するように設けられている。本実施形態では、この保持片１８は、第２縦枠１２の前板部の裏面１２ｂに沿うように固定された固定片１７を備えた保持部材１６に設けられている。
【００１８】
保持部材１６は、図３（ｂ）に示すように、保持片１８が開口１３の上下方向途中部位に位置するように設けられている。図例では、保持片１８が開口１３の上下方向中央部よりも僅かに上側に位置するように保持部材１６を設けた例を示している。
固定片１７は、第２縦枠１２の前板部の厚さ方向に厚さ方向を沿わせて配される板状とされ、ねじ等の固着具によって第２縦枠１２の前板部に固定される。保持片１８は、この固定片１７の開口１３側の縁部に一連状に設けられている。また、図例では、保持片１８を、厚さ方向に見て概ね方形状とした例を示している。
【００１９】
係合部１９は、図３（ｂ）に示すように、本実施形態では、突起部２９の大径部２９ａを受け入れ可能な大径孔部１９ａと突起部２９の小径部２９ｂを受け入れる小径孔部１９ｂとが連なるように、かつ保持片１８を貫通して設けられたダルマ孔状とされている。このような構成とすれば、例えば、他方片（保持片１８）の面方向に沿って上側や下側等にも開口する切欠状の係合部としたものと比べて、操作盤２０に対して意図しない外力が負荷された際における操作盤２０の落下を効果的に抑制することができる。
また、係合部１９は、大径孔部１９ａの下方側に、小径孔部１９ｂを一連状に設けた構成とされている。このような構成とすれば、操作盤２０の自重によって突起部２９の小径部２９ｂが係合部１９の小径孔部１９ｂに係合保持されることとなる。これにより、配線収容部１４の奥行方向に大径孔部１９ａと小径孔部１９ｂとを連ならせたようなものと比べて、操作盤２０をより安定的に保持させることができる。
【００２０】
また、２つの係合部１９，１９のうちの一方の係合部１９を、保持片１８の前方側かつ上側部位に設け、他方の係合部１９を、保持片１８の奥側かつ下側部位に設けた構成としている。また、これら２つの係合部１９，１９を、一方の係合部１９と他方の係合部１９とが上下方向に見て互いの一部が重なり合うように設けた構成としている。
なお、係合部１９，１９としては、ダルマ孔状の貫通孔に限られず、上方側や下方側、奥側等に向けて開口する切欠状とされたものでもよい。この場合は、係合部１９の途中部位に、突起部２９の小径部２９ｂを係合保持可能なように適宜の屈曲部等を設けた構成としてもよい。
また、保持片１８としては、第２縦枠１２の前板部の裏面１２ｂに固定される保持部材１６に設けられたものに限られず、例えば、配線収容部１４を区画するようにボックス状とされた部材の側壁自体を保持片１８としたり、側壁に保持片１８を設けたりしてもよい。
【００２１】
操作盤２０は、図１（ａ）及び図２（ａ）に示すように、配線収容部１４の開口１３を塞ぐように板状とされた操作パネル２１を備えている。この操作パネル２１は、開口幅方向及び上下方向に沿う寸法が開口１３の幅寸法及び上下寸法よりも大とされている。つまり、この操作パネル２１は、開口１３の四周縁部を覆うようにアウトセット状に取り付けられる構成とされている。
操作盤２０は、この操作パネル２１の上下端部が開口１３の上下両側部位の前板部にねじ等の固着具によって固定されて取り付けられる構成とされたものでもよい。
また、この操作パネル２１には、操作部２２及び表示部２４が設けられている。図例では、操作部２２の上方側に間隔を空けて表示部２４を設けた例を示している。また、操作盤２０には、操作パネル２１の表面側において鍵によって施解錠される鍵操作部が設けられている。
【００２２】
操作部２２は、籠４を当該操作盤２０が設けられた乗場２の階に呼ぶ際に押し操作される籠呼び操作部であってもよい。なお、当該操作盤２０が籠４内に設けられるものである場合には、扉開閉操作部や行先階操作部等を設けた構成としてもよい。
また、操作部２２は、操作パネル２１の表面側において露出するように設けられている。この操作部２２の裏面側には、操作パネル２１の裏面から突出するように各種制御回路等を含む本体部２３が設けられている。この本体部２３は、開口１３に差し込まれ、奥側部位が配線収容部１４内に位置するように配される構成とされている。なお、図示は省略しているが、この本体部２３と配線収容部１４内の回路基板１５とを接続する適宜のケーブルが設けられている。
【００２３】
表示部２４は、籠４の位置表示や昇降方向を表示したり、種々のメッセージを表示したりするものであってもよい。この表示部２４は、操作パネル２１の表面側において露出するように設けられている。この表示部２４の裏面側には、操作パネル２１の裏面から突出するように各種制御回路等を含む本体部２５が設けられている。この本体部２５は、上記同様、開口１３に差し込まれ、奥側部位が配線収容部１４内に位置するように配される構成とされている。また、この本体部２５には、配線収容部１４内の回路基板１５に接続されるケーブル２６が設けられている。このケーブル２６及び操作部２２の本体部２３のケーブルは、操作盤２０の被保持片２８が保持片１８に引っ掛け保持された状態で、回路基板１５に接続可能な構成とされている。
【００２４】
被保持片２８は、操作パネル２１の裏面からパネル厚さ方向に間隔を空け、かつ操作パネル２１の幅方向一方側から幅方向に間隔を空けた位置となるように設けられている。このような構成とすれば、操作盤２０を取り外し、被保持片２８を保持片１８に引っ掛け保持させれば、開口１３を大きく開放させることができる。また、被保持片２８は、その厚さ方向を操作パネル２１の厚さ方向に沿わせて設けられ、操作パネル２１の裏面側を開口１３の幅方向中心側に向けて保持片１８に引っ掛け保持される構成とされている。このような構成とすれば、被保持片２８を保持片１８に引っ掛け保持させれば、操作パネル２１が開口１３の側方において、その裏面が開口１３側に向いた状態で保持されることとなる。これにより、回路基板１５に対するケーブル２６の抜き差しや操作パネル２１裏面側の本体部２３，２５のメンテナンス等を容易に行うことができる。
【００２５】
この被保持片２８は、図３（ａ）に示すように、保持片１８に引っ掛け保持された状態で、厚さ方向に見てその概ね全体が保持片１８に重なり合うように設けられる構成とされている。この被保持片２８は、保持片１８に引っ掛け保持された状態で、その厚さ方向一方側面が概ね全体に亘って保持片１８に当接されるものでもよい。また、図例では、この被保持片２８を、厚さ方向に見て概ね方形状とした例を示している。
また、被保持片２８は、操作パネル２１の上下方向で途中部位に位置するように設けられている。図例では、被保持片２８を、操作パネル２１の上下方向で略中央部に位置するように設けた例を示している。
また、この被保持片２８は、操作パネル２１の裏面側に固定された被保持部材２７に設けられている。被保持部材２７は、図１（ｂ）、図２及び図３に示すように、操作パネル２１の裏面からパネル厚さ方向に突出し、かつパネル幅方向に延びるように設けられている。この被保持部材２７の延出方向先端部に被保持片２８が設けられている。
【００２６】
被保持部材２７は、操作盤２０が開口１３を塞ぐように取り付けられた状態で、保持片１８に干渉しないように設けられている。また、この被保持部材２７は、被保持片２８を保持片１８に引っ掛け保持させた状態で、操作パネル２１が第２縦枠１２の表面１２ａに干渉しないように設けられている。また、この被保持部材２７は、被保持片２８を保持片１８に引っ掛け保持させた状態で、開口１３の開口方向に見て、開口１３の大半が視認可能なように設けられている。図例では、被保持片２８を保持片１８に引っ掛け保持させた状態で、開口１３の開口方向に見て、操作パネル２１の裏面側の本体部２５の一部が開口１３に重なり合う構成とした例を示している。また、図例では、被保持部材２７の途中部位にケーブル２６を沿わせて設けた例を示している。
【００２７】
突出部２９は、図２（ａ）に示すように、被保持片２８の厚さ方向一方側から被保持片２８の厚さ方向に沿って突出するように設けられている。本実施形態では、突出部２９は、操作盤２０が開口１３を塞ぐように取り付けられた状態で、配線収容部１４の奥行方向に厚さ方向を沿わせて配される被保持片２８の厚さ方向手前側面から突出するように設けられている。
この突出部２９の大径部２９ａの外径は、係合部１９の大径孔部１９ａに挿通可能なように大径孔部１９ａの内径よりも小とされ、かつ係合部１９の小径孔部１９ｂの内径よりも大とされている。この大径部２９ａの外径は、大径孔部１９ａの内径よりも僅かに小とされたものでもよい。また、突出部２９の小径部２９ｂの外径は、係合部１９の小径孔部１９ｂに挿通可能なように小径孔部１９ｂの内径よりも小とされている。この小径部２９ｂの外径は、がたつきを抑制する観点等から小径孔部１９ｂの内径よりも僅かに小とされたものでもよい。
【００２８】
また、この突出部２９の小径部２９ｂの被保持片２８厚さ方向に沿う寸法、つまり軸方向に沿う寸法は、保持片１８の厚さ寸法に応じた寸法とされている。つまり、被保持片２８の突出部２９の突出側となる厚さ方向一方側面から大径部２９ａまでの被保持片２８厚さ方向に沿う寸法は、保持片１８の厚さ寸法に応じた寸法とされている。
この小径部２９ｂの軸方向に沿う寸法は、がたつきを抑制する観点等から保持片１８の厚さ寸法よりも僅かに大とされたものでもよい。
また、本実施形態では、上記した２つの係合部１９，１９の位置に合うように、かつ操作パネル２１の幅方向及び上下方向でずれた位置となるように２つの突出部２９，２９を設けた構成としている。つまり、２つの突出部２９，２９のうちの一方の突出部２９を、上記した一方の係合部１９に係合可能なように被保持片２８の操作パネル２１側かつ上側部位に設けた構成としている。また、他方の突出部２９を、上記した他方の係合部１９に係合可能なように被保持片２８の反操作パネル側かつ下側部位に設けた構成としている。
【００２９】
また、図例では、これら突出部２９，２９を、被保持片２８に設けられた雌ねじ孔にねじ合わされた雄ねじとし、被保持片２８の厚さ方向他方側に回り止めナット部材を設けた例を示している。なお、突出部２９，２９としては、このような態様とされたものに限られず、被保持片２８に一体的に設けられたものや、溶接等によって接合されたものでもよく、その他、種々の態様とされたものでもよい。
【００３０】
また、本実施形態では、配線収容部１４の奥行方向及び上下方向でずれた位置となるように２つの突起部２９，２９及び係合部１９，１９を設けた例を示しているが、このような態様に限られない。例えば、２つの突起部２９，２９及び係合部１９，１９を、上下や、配線収容部１４の奥行方向に並べて設けたような態様としてもよく、３つ以上または１つの突起部２９及び係合部１９を設けたような態様等としてもよい。
また、本実施形態では、一方片としての被保持片２８に突起部２９を設け、他方片としての保持片１８に係合部１９を設けた例を示しているが、保持片１８に突起部を設け、被保持片２８に係合部を設けたような態様等としてもよい。この場合においてダルマ孔状の係合部を被保持片２８に設ける場合には、小径孔部の下方側に一連状に大径孔部を設けた構成とされたものとしてもよい。
【００３１】
また、本実施形態では、一方片に突起部２９を設け、他方片に突起部２９の小径部２９ｂを受け入れる係合部１９を設けた例を示しているが、被保持片２８を保持片１８に引っ掛け保持させる態様としては、このような態様に限られない。例えば、配線収容部１４奥行方向に延びるように保持片１８に差込孔を設け、この差込孔に差し込まれる差込片を被保持片２８に設けた態様や、被保持片２８に保持片１８を受け入れる受入溝等を設けた態様等としてもよく、その他、種々の態様とされたものでもよい。本実施形態に係るエレベータ装置１の上記した各部材及び各部の構成は、一例に過ぎず、その他、種々の変形が可能である。
【符号の説明】
【００３２】
１      エレベータ装置
２      乗場
３      壁面
４      籠
５      内壁面
１３    開口
１４    配線収容部
１８    保持片（他方片）
１９    係合部
１９ａ  大径孔部
１９ｂ  小径孔部
２０    操作盤
２８    被保持片（一方片）
２９    突起部
２９ａ  大径部
２９ｂ  小径部
【図１】
2020196557.tif 000003
【図２】
2020196557.tif 000004
【図３】
2020196557.tif 000005
【図４】
2020196557.tif 000006